(57)【特許請求の範囲】
【請求項１】
光学系を保持するとともに、該光学系の光軸に交差する方向に突出した突起を有する第１保持部材と、
前記突起に係合する第１係合溝を有し、前記第１保持部材を前記光学系の光軸方向に移動可能に保持する第２保持部材と、
前記突起に係合する第２係合溝を有し、前記第２保持部材に対して相対的に移動することにより前記第１保持部材を前記光学系の光軸方向に移動するとともに、前記第２保持部材に対して相対的に移動する範囲に亘って、前記第１係合溝の一部と常に重なる貫通孔を有する第３保持部材とを備え、
前記第１係合溝は、前記第３保持部材が前記第２保持部材に対して相対的に移動する範囲において前記突起が係合する第１部分と、該第１部分に連続して前記貫通孔の一部と重なる第２部分とを有することを特徴とする光学機器。
【請求項２】
請求項１に記載の光学機器であって、
前記貫通孔は前記第１保持部材の移動方向と交差する方向に沿って設けられていることを特徴とする光学機器。
【請求項３】
光学系を保持するとともに、該光学系の光軸に交差する方向に突出した突起を有する第１保持部材と、
前記突起に係合する第１係合溝を有し、前記第１保持部材を前記光学系の光軸方向に移動可能に保持する第２保持部材と、
前記突起に係合する第２係合溝を有し、前記第２保持部材に対して相対的に移動することにより前記第１保持部材を前記光学系の光軸方向に移動するとともに、前記第２保持部材に対して相対的に移動する範囲に亘って、前記第１係合溝の一部と常に重なる貫通孔を有する第３保持部材とを備え、
前記貫通孔は前記第１保持部材の移動方向と交差する方向に沿って設けられていることを特徴とする光学機器。
【請求項４】
請求項１ないし請求項３のいずれか一項に記載の光学機器であって、
前記第１係合溝と前記第２係合溝の一方は、前記光学系の光軸方向に沿って設けられた直進溝であり、他方は前記光軸方向に交差する方向に沿って設けられたリード溝であることを特徴とする光学機器。
【請求項５】
請求項４に記載の光学機器であって、
前記第２保持部材は前記第３保持部材の内側に配置され、
前記第１係合溝は前記リード溝であり、
前記第２係合溝は前記直進溝であることを特徴とする光学機器。
【請求項６】
請求項４に記載の光学機器であって、
前記第２保持部材は前記第３保持部材の内側に配置され、
前記第１係合溝は前記直進溝であり、
前記第２係合溝はリード溝であることを特徴とする光学機器。
【請求項７】
請求項４に記載の光学機器であって、
前記第２保持部材は前記第３保持部材の外側に配置され、
前記第１係合溝は前記リード溝であり、
前記第２係合溝は前記直進溝であることを特徴とする光学機器。
【請求項８】
請求項４に記載の光学機器であって、
前記第２保持部材は前記第３保持部材の外側に配置され、
前記第１係合溝は前記直進溝であり、
前記第２係合溝はリード溝であることを特徴とする光学機器。
【請求項９】
請求項１ないし請求項８のいずれか一項に記載の光学機器と、前記光学系による像を撮像する撮像素子とを備えた撮像装置。
【発明の詳細な説明】
【技術分野】
【０００１】
本発明は、光学機器及び撮像装置に関するものである。
【背景技術】
【０００２】
従来から、レンズ鏡筒等の光学機器において空気孔を備えた構成が知られている。このような光学機器として、レンズ等の光学系を駆動する際の急加速、急停止、急反転時における衝撃音を緩和することを目的とするレンズ鏡筒が開示されている（例えば、特許文献１参照）。
【先行技術文献】
【特許文献】
【０００３】
【特許文献１】特開１１−３３７８０６号公報
【発明の概要】
【発明が解決しようとする課題】
【０００４】
しかしながら、上記従来のレンズ鏡筒は、無限遠又は至近側において空気孔とカム溝又は穴とが接続しなくなる。そのため、無限遠又は至近側において、レンズを駆動する際の抵抗が大きくなるという課題がある。
【０００５】
そこで、本発明は、光学系の移動する範囲に亘って光学系を駆動する際の抵抗を常に低減することができる光学機器及び撮像装置を提供するものである。
【課題を解決するための手段】
【０００６】
上記の課題を解決するために、本発明は実施の形態に示す図１〜図４に対応付けした以下の構成を採用している。なお、本発明を分かり易く説明するために、一実施形態を示す図面の符号に対応付けて説明するが、本発明は実施形態に限定されるものではない。
【０００７】
本発明の光学機器（１００）は、光学系（Ｌ２）を保持するとともに、該光学系の光軸（Ｘ）に交差する方向に突出した突起（１０）を有する第１保持部材（Ｆ２）と、前記突起に係合する第１係合溝（１ａ）を有し、前記第１保持部材を前記光学系の光軸方向に移動可能に保持する第２保持部材（１）と、前記突起に係合する第２係合溝（２ａ）を有し、前記第２保持部材に対して相対的に移動することにより前記第１保持部材を前記光学系の光軸方向に移動するとともに、前記第２保持部材に対して相対的に移動する範囲に亘って、前記第１係合溝の一部と常に重なる貫通孔（２ｂ）を有する第３保持部材（２）とを備えたことを特徴とする。
【０００８】
また、本発明の撮像装置（２００）は、上記の光学機器と、前記光学系による像を撮像する撮像素子（１０２）とを備えている。
【発明の効果】
【０００９】
本発明によれば、光学系の移動する範囲に亘って光学系を駆動する際の抵抗を常に低減することができる光学機器及び撮像素子を提供することができる。
【図面の簡単な説明】
【００１０】
【図１】本発明の実施形態に係るレンズ鏡筒の断面図である。
【図２】同、リード溝、直進溝及び貫通孔の配置を示す展開図である。
【図３】同、リード溝、直進溝及び貫通孔の配置を示す展開図である。
【図４】本発明の実施形態に係るカメラの概略構成を示す断面図である。
【発明を実施するための形態】
【００１１】
以下、本発明の実施形態について図面を参照して説明する。なお、以下の各図面では、各部材を図面上で認識可能な程度の大きさとするため、部材毎に縮尺を適宜変更している。
図１は、本実施形態におけるレンズ鏡筒の断面図である。
【００１２】
図１に示すように、レンズ鏡筒（光学機器）１００は、光学系として光軸Ｘに沿って被写体側（物体側）から像面側（カメラ側）へ順に配置された第１レンズ群Ｌ１〜第５レンズ群Ｌ５を備えている。第２レンズ群Ｌ２〜第５レンズ群Ｌ５は、それぞれ第２レンズ保持枠（第１保持部材）Ｆ２〜第５レンズ保持枠Ｆ５によって保持されている。
また、レンズ鏡筒１００は、固定筒（第２保持部材）１、回転筒（第３保持部材）２、フォーカス環３、外装４、カム筒５、ズーム環６、及び、マウント部７を備えている。
【００１３】
固定筒１は、光学系を保持する筒状の部材である。固定筒１の被写体側には、第１レンズ群Ｌ１が固定されている。固定筒１の内側で、第１レンズ群Ｌ１の像面側には、第２レンズ群Ｌ２を保持する第２レンズ保持枠Ｆ２が光軸Ｘ方向に移動可能に保持されている。第２レンズ保持枠Ｆ２を保持する固定筒１の大径部には、第２レンズ保持枠Ｆ２に設けられたフォロアピン（突起）１０に係合するリード溝（第１係合溝）１ａが設けられている。固定筒１の大径部の像面側は径が縮小された小径部となっており、その内側に第３レンズ群Ｌ３を保持する第３レンズ保持枠Ｆ３が保持されている。
【００１４】
固定筒１の小径部の内側で、第３レンズ保持枠Ｆ３の像面側には、第４レンズ群Ｌ４を保持する第４レンズ保持枠Ｆ４及びカム筒５が保持されている。固定筒１の小径部の内側で、第４レンズ保持枠Ｆ４の像面側には、第５レンズ群Ｌ５を保持する第５レンズ保持枠Ｆ５が保持されている。固定筒１の小径部のカム筒５を保持する部分には、第４レンズ保持枠Ｆ４に設けられたフォロアピン１１に係合する直進溝１ｂが設けられている。固定筒１の大径部の像面側には、貫通孔１ｃが設けられている。
【００１５】
回転筒２は、固定筒１の大径部の外側に所定の角度範囲で周方向に回転可能に保持されている。回転筒２は、固定筒１の小径部の外側に配置されたフォーカス環３に固定され、フォーカス環３と一体的に回転するように設けられている。回転筒２には、第２レンズ保持枠Ｆ２に固定されたフォロアピン１０に係合する直進溝（第２係合溝）２ａが設けられている。また、回転筒２には、固定筒１のリード溝１ａの一部と常に重なる貫通孔２ｂが設けられている。
【００１６】
フォーカス環３はレンズ鏡筒１００の外周部に配置された円環状の部材であり、固定筒１の最外周のひさし状の外壁部と外装４との間に配置されている。フォーカス環３は回転筒２に固定され、固定筒１の外壁部と外装４とに支持されて、回転筒２と一体的に周方向に回転するように設けられている。
【００１７】
外装４はレンズ鏡筒１００の外殻をなす部分であり、一方の端部は径がテーパ状に縮小されて固定筒１の小径部の端部に固定されている。外装４の他方の端部はフォーカス環３の端部と係合し、フォーカス環３を周方向に回転可能に支持している。
【００１８】
カム筒５は、固定筒１の小径部の内側に保持され、周方向に所定の角度範囲で回転可能に設けられている。カム筒５には、第４レンズ保持枠Ｆ４に固定されたフォロアピン１１が係合するリード溝５ａが設けられている。カム筒５は、不図示の係合部において外装４の外周部に配置されたズーム環６と係合され、ズーム環６と一体的に周方向に回転するように設けられている。
【００１９】
ズーム環６は、外装４の外周部に回転可能に保持された円環状の部材であり、不図示の係合部においてカム筒５と係合することで、カム筒５と一体的に回転するように設けられている。
マウント部７は固定筒１及び外装４に固定され、例えばバヨネット結合等によりレンズ鏡筒１００をカメラボディに着脱可能に結合させるための部分である。
【００２０】
図２及び図３は、固定筒１の大径部を周方向に展開して表す展開図である。図２は、図１に示す第２レンズ群Ｌ２が第１レンズ群Ｌ１から離間した状態を示している。図３は、図１に示す第２レンズ群Ｌ２が第１レンズ群Ｌ１に最も近接した状態を示している。図２及び図３において光軸Ｘに直交する図の上下方向が固定筒１の周方向である。また、光軸Ｘの矢印の指す方向が被写体側となっている。
【００２１】
図１及び図２に示すように、リード溝１ａは、回転筒２の内側に配置された固定筒１に設けられた長孔状の貫通孔（貫通溝）である。リード溝１ａは、固定筒１の周方向に延びる溝状に形成されるとともに、光軸Ｘ方向及び周方向と所定の傾きを有して交差する方向に沿って形成されている。
【００２２】
本実施形態のリード溝１ａは、カム部（第１部分）ａ１と延長部（第２部分）ａ２とを有している。カム部ａ１は、回転筒２が固定筒１に対して相対的に移動する範囲においてフォロアピン１０が係合する部分である。延長部ａ２は、カム部ａ１と連続して形成され、フォロアピン１０のリード溝１ａに対する相対移動方向の前方に延長して形成された部分である。
【００２３】
すなわち、リード溝１ａは、固定筒１と回転筒２とが周方向に相対的に回転し、第２レンズ保持枠Ｆ２が、図２に示す像面側に移動した状態から、図３に示す最も被写体側に移動した状態に変化した場合であっても、フォロアピン１０がリード溝１ａの途中までしか移動しないように設けられている。
【００２４】
直進溝２ａは、回転筒２に光軸Ｘと略平行な方向に沿って長孔状に設けられた貫通溝である。直進溝２ａは、第２レンズ保持枠Ｆ２の周方向に複数設けられたフォロアピン１０に対応して、回転筒２の周方向に複数設けられている。図２及び図３に示すように、直進溝２ａは、少なくとも第２レンズ保持枠Ｆ２の光軸Ｘ方向の移動範囲の全域に亘って設けられている。また、直進溝２ａ及びリード溝１ａは、固定筒１と回転筒２とが周方向に相対的に移動する範囲の全域に亘って互いに交差するように設けられている。
【００２５】
リード溝１ａ及び直進溝２ａの双方には、第２レンズ保持枠Ｆ２に設けられたフォロアピン１０が挿通されて係合している。フォロアピン１０は、第２レンズ保持枠Ｆ２の周方向に複数が光軸Ｘと略垂直な径方向に突出して設けられている。フォロアピン１０は、その外周部に円筒状の円筒部材１０ａを備えている。
【００２６】
円筒部材１０ａは、フォロアピン１０の外径を調整してフォロアピン１０をリード溝１ａ及び直進溝１ｂの双方に隙間なく係合させる部材である。また、円筒部材１０ａは、これらのカム溝とフォロアピン１０との摩擦を低減させ、フォロアピン１０がこれらのカム溝に沿ってスムーズに移動できるようにしている。
【００２７】
なお、円筒部材１０ａとリード溝１ａ及び直進溝１ｂの間には若干の隙間が形成される場合があるが、この隙間は第２レンズ保持枠Ｆ２によって閉塞されるため、空気を自由に流通させることが困難になっている。
【００２８】
貫通孔２ｂは、直進溝２ａが形成された回転筒２に設けられた長孔状の貫通溝である。貫通孔２ｂは、回転筒２の周方向に沿って延びるように形成されるとともに、光軸Ｘ及び周方向に対して所定の傾きを有している。貫通孔２ｂは光軸Ｘに対してリード溝１ａと逆の傾きを有し、リード溝１ａと交差するように設けられている。
【００２９】
貫通孔２ｂは、図２に示すように第２レンズ保持枠Ｆ２が最も像面側に移動したときに、その像面側の一部がリード溝１ａのカム部ａ１及び延長部ａ２の一部と重なるように設けられている。第２レンズ保持枠Ｆ２よりも被写体側で貫通孔２ｂとリード溝１ａとが重なった領域Ｐにおいては、図１に示すように貫通孔２ｂとリード溝１ａとが接続され、第１レンズ群Ｌ１と第２レンズ群Ｌ２との間の空間Ｓ１と回転筒２の外側の空間Ｓ２とを連通する連通路が形成されている。
【００３０】
貫通孔２ｂは、図３に示すように第２レンズ保持枠Ｆ２が最も被写体側に移動したときに、その被写体側の一部がリード溝１ａの延長部ａ２の一部と重なるように設けられている。第２レンズ保持枠Ｆ２よりも被写体側で貫通孔２ｂとリード溝１ａとが重なった領域Ｐにおいては、図１に示すように貫通孔２ｂとリード溝１ａとが接続され、第１レンズ群Ｌ１と第２レンズ群Ｌ２との間の空間Ｓ１と回転筒２の外側の空間Ｓ２とを連通する連通路が形成されている。
【００３１】
すなわち、貫通孔２ｂ及びリード溝１ａは、回転筒２が固定筒１に対して相対的に移動する範囲に亘って貫通孔２ｂの一部がリード溝１ａの一部と常に重なるように設けられている。
【００３２】
図１に示すように、直進溝１ｂは固定筒１の小径部に設けられた長孔状の貫通溝である。直進溝１ｂは、図２及び図３に示す直進溝２ａと同様に、光軸Ｘに平行な方向に沿って延びるように設けられている。直進溝１ｂは第４レンズ保持枠Ｆ４の光軸Ｘ方向の移動範囲の全域に亘って設けられている。
【００３３】
リード溝５ａは、固定筒１の小径部の内側に配置されたカム筒５に設けられた長孔状の貫通孔である。リード溝５ａは、図２及び図３に示すリード溝１ａと同様に、カム筒５の周方向に延びるように形成されるとともに、光軸Ｘ及び周方向に対して所定の傾きを有するように形成されている。
【００３４】
フォロアピン１１は、第４レンズ保持枠Ｆ４に固定され、リード溝５ａ及び直進溝１ｂの双方に挿通されて係合している。フォロアピン１１は、その外周部に図２及び図３に示す円筒部材１０ａと同様の円筒部材１１ａを備えている。
【００３５】
次に、本実施形態のレンズ鏡筒１００の作用について説明する。
図１及び図２に示すように、第２レンズ保持枠Ｆ２がカメラ本体側に移動した状態でフォーカス環３を固定筒１に対して周方向に相対的に回転させると、回転筒２がフォーカス環３と一体的に回転する。すると、回転筒２が固定筒１と相対的に周方向に回転する。これにより、回転筒２に設けられた直進溝２ａ及び貫通孔２ｂが、リード溝１ａに対して周方向に相対的に移動し、図２に示す状態から図３に示す状態に変化する。
【００３６】
このとき、直進溝２ａ及びリード溝１ａの双方に挿通されたフォロアピン１０は、リード溝１ａに沿って周方向に移動しつつ、直進溝２ａに沿って被写体側に移動する。これにより、第２レンズ保持枠Ｆ２及び第２レンズ群Ｌ２は、光軸Ｘ回りに回転しつつ光軸Ｘ方向の被写体側に移動する。
【００３７】
第２レンズ保持枠Ｆ２及び第２レンズ群Ｌ２が光軸Ｘ方向の被写体側に移動すると、図１に示す第１レンズ群Ｌ１と第２レンズ群Ｌ２との間の空間Ｓ１の容積が減少する。ここで、本実施形態では、図２及び図３に示すように、回転筒２が固定筒１に対して相対的に移動する範囲に亘って、貫通孔２ｂの一部がリード溝１ａの一部と重なる領域Ｐが常に存在している。
【００３８】
そのため、空間Ｓ１の容積が最大の状態から減少を始めると、図１に示すように、空間Ｓ１内の空気が貫通孔２ｂ及びリード溝１ａからなる連通路を介して空間Ｓ２に流出する。これにより、空間Ｓ１内の圧力上昇を抑制し、第２レンズ群Ｌ２を駆動する際の抵抗を低減することができる。したがって、フォーカス環３の回転を容易にして第２レンズ保持枠Ｆ２及び第２レンズ群Ｌ２を光軸Ｘ方向にスムーズに移動させることが可能になる。
【００３９】
また、第２レンズ保持枠Ｆ２及び第２レンズ群Ｌ２が光軸Ｘ方向の被写体側に移動すると、第２レンズ群Ｌ２と第３レンズ群Ｌ３との間の空間Ｓ３の容積は増加する。ここで、本実施形態では、図１に示すように、固定筒１に貫通孔１ｃが設けられている。
【００４０】
そのため、空間Ｓ３の容積が増加を始めると、固定筒１の外側の空間Ｓ２の空気が貫通孔１ｃを介して空間Ｓ３内に流入する。これにより、空間Ｓ３内の圧力減少を抑制し、第２レンズ群Ｌ２を駆動する際の抵抗を低減することができる。したがって、フォーカス環３の回転を容易にして第２レンズ保持枠Ｆ２及び第２レンズ群Ｌ２を光軸Ｘ方向にスムーズに移動させることが可能になる。
【００４１】
また、図２及び図３に示す領域Ｐは、第２レンズ保持枠Ｆ２の移動中も常に形成され、領域Ｐにおいて貫通孔２ｂとリード溝１ａとが常に接続される。そして、図３に示すように、第２レンズ保持枠Ｆ２が最も被写体側に移動し、空間Ｓ１の容積が最小になったときであっても、領域Ｐにおいて貫通孔２ｂとリード溝１ａと接続が維持される。すなわち、回転筒２が固定筒１に対して相対的に移動する範囲に亘って、常に貫通孔２ｂとリード溝１ａとが接続された状態が維持され、空間Ｓ１内の空気の空間Ｓ２への流出が妨げられることがない。
【００４２】
したがって、本実施形態によれば、回転筒２が固定筒１に対して相対的に移動する範囲に亘って、空間Ｓ１内の圧力上昇を抑制し、第２レンズ群Ｌ２を駆動する際の抵抗を低減することができる。よって、回転筒２が固定筒１に対して相対的に移動する範囲に亘って、フォーカス環３の回転を容易にし、第２レンズ保持枠Ｆ２及び第２レンズ群Ｌ２を光軸Ｘ方向にスムーズに移動させることが可能になる。
【００４３】
また、図３に示すように第２レンズ保持枠Ｆ２が最も被写体側に移動し、空間Ｓ１の容積が最小となった状態でフォーカス環３を逆方向に回転させると、回転筒２がフォーカス環３と一体的に逆方向に回転する。すると、回転筒２が固定筒１と相対的に周方向に逆方向に回転する。これにより、回転筒２に設けられた直進溝２ａ及び貫通孔２ｂがリード溝１ａに対して周方向に相対的に逆方向に移動し、図３に示す状態から図２に示す状態になる。
【００４４】
このとき、直進溝２ａ及びリード溝１ａの双方に挿通されたフォロアピン１０は、リード溝１ａに沿って周方向に移動しつつ、直進溝２ａに沿って像面側に移動する。これにより、第２レンズ保持枠Ｆ２及び第２レンズ群Ｌ２は、光軸Ｘ回りに回転しつつ光軸Ｘ方向の像面側に移動する。
【００４５】
第２レンズ保持枠Ｆ２及び第２レンズ群Ｌ２が光軸Ｘ方向の像面側に移動すると、図１に示す第１レンズ群Ｌ１と第２レンズ群Ｌ２との間の空間Ｓ１の容積が増加する。ここで、本実施形態では、図２及び図３に示すように、回転筒２が固定筒１に対して相対的に移動する範囲に亘って、常に貫通孔２ｂの一部がリード溝１ａの一部と重なる領域Ｐが存在している。
【００４６】
そのため、空間Ｓ１の容積が最小の状態から増加を始めると、図１に示すように、空間Ｓ２の空気が貫通孔２ｂ及びリード溝１ａからなる連通路を介して空間Ｓ１内に流入する。これにより、空間Ｓ１内の圧力減少を抑制し、第２レンズ群Ｌ２を駆動する際の抵抗を低減することができる。したがって、フォーカス環３の回転を容易にして第２レンズ保持枠Ｆ２及び第２レンズ群Ｌ２を光軸Ｘ方向にスムーズに移動させることが可能になる。
【００４７】
また、第２レンズ保持枠Ｆ２及び第２レンズ群Ｌ２が光軸Ｘに沿って像面側に移動すると、第２レンズ群Ｌ２と第３レンズ群Ｌ３との間の空間Ｓ３の容積は減少する。ここで、本実施形態では、図１に示すように、固定筒１に貫通孔１ｃが設けられている。
【００４８】
そのため、空間Ｓ３の容積が減少を始めると、空間Ｓ３内の空気が貫通孔１ｃを介して固定筒１の外側の空間Ｓ２に流出する。これにより、空間Ｓ３内の圧力増加を抑制し、第２レンズ群Ｌ２を駆動する際の抵抗を低減することができる。したがって、フォーカス環３の回転を容易にして第２レンズ保持枠Ｆ２及び第２レンズ群Ｌ２を光軸Ｘ方向にスムーズに移動させることが可能になる。
【００４９】
また、図２及び図３に示す領域Ｐは、第２レンズ保持枠Ｆ２の移動中も常に形成され、領域Ｐにおいて貫通孔２ｂとリード溝１ａとが常に接続される。そして、第２レンズ保持枠Ｆ２が最も像面側に移動し、空間Ｓ１の容積が最大になったときであっても、領域Ｐにおいて貫通孔２ｂとリード溝１ａとの接続が維持される。すなわち、回転筒２が固定筒１に対して相対的に移動する範囲に亘って、常に貫通孔２ｂとリード溝１ａとが接続された状態が維持され、空間Ｓ２の空気の空間Ｓ１内への流入が妨げられることがない。
【００５０】
したがって、本実施形態によれば、回転筒２が固定筒１に対して相対的に移動する範囲に亘って、空間Ｓ１内の圧力減少を抑制し、第２レンズ群Ｌ２を駆動する際の抵抗を低減することができる。よって、回転筒２が固定筒１に対して相対的に移動する範囲に亘って、フォーカス環３の回転を容易にし、第２レンズ保持枠Ｆ２及び第２レンズ群Ｌ２を光軸Ｘ方向にスムーズに移動させることが可能になる。
【００５１】
また、貫通孔２ｂは、第２レンズ保持枠Ｆ２の移動方向（光軸Ｘ方向）と交差する方向に沿って設けられている。これにより、貫通孔２ｂの光軸Ｘ方向の幅を狭くした場合であっても、貫通孔２ｂが第２レンズ保持枠Ｆ２によって閉塞されることを防止できる。したがって、貫通孔２ｂの開口面積を小さくすることができ、回転筒２の強度の低下防止や設計の自由度を向上させることが可能になる。
【００５２】
また、図１に示すように、固定筒１の小径部に設けられた直進溝１ｂは、図２及び図３に示す直進溝２ａと同様に、光軸Ｘに沿う方向に延びる長孔状に設けられている。また、固定筒１の小径部の内側に配置されたカム筒５に設けられたリード溝５ａは、図２及び図３に示すリード溝１ａと同様に、カム筒５の周方向に延びるように形成されるとともに、光軸Ｘに対して所定の傾きを有するように形成されている。
【００５３】
そのため、ズーム環６を周方向に回転させ、カム筒５をズーム環６と一体的に回転させると、第４レンズ保持枠Ｆ４及び第４レンズ群Ｌ４は、図２及び図３に示す第２レンズ保持枠Ｆ２と同様に、光軸Ｘ方向に移動する。すると、第３レンズ群Ｌ３と第４レンズ群Ｌ４との間の空間Ｓ３、及び第４レンズ群Ｌ４と第５レンズ群Ｌ５との間の空間Ｓ４の容積はそれぞれ増減する。
【００５４】
このとき、直進溝１ｂが設けられた固定筒１の小径部に、図２及び図３に示す貫通孔２ｂと同様の貫通孔（図示略）を設け、カム筒５が固定筒１に対して相対的に回転する範囲に亘って、当該貫通孔がカム筒５に形成されたリード溝５ａの一部と常に重なるようにしてもよい。このようにすることで、空間Ｓ３内の空気を貫通孔及びリード溝５ａを介して固定筒１の外部の空間Ｓ２に排出することができる。これにより、第４レンズ群Ｌ４及び第４レンズ保持枠Ｆ４を光軸Ｘ方向にスムーズに移動させることが可能になる。
【００５５】
また、図１に示す貫通孔１ｃと同様に、固定筒１の小径部に第４レンズ群Ｌ４と第５レンズ群Ｌ５との間の空間Ｓ４と、固定筒１の外部の空間Ｓ２とを連通する貫通孔（図示略）を設けてもよい。これにより、当該貫通孔を介して空間Ｓ４と空間Ｓ２との間で空気を流通させ、第４レンズ群Ｌ４及び第４レンズ保持枠Ｆ４を光軸Ｘ方向にスムーズに移動させることが可能になる。
【００５６】
次に、本実施形態に係るレンズ鏡筒１００を備えたカメラについて説明する。
図４は、本実施形態に係るカメラの概略構成を示す断面図である。
図４に示すように、カメラ（撮像装置）２００は、レンズ鏡筒１００と、カメラボディ１０１と、撮像素子１０２と、を備えている。カメラボディ１０１は、レンズ鏡筒１００と例えばバヨネット結合により着脱可能に結合している。
【００５７】
図４に示すカメラ２００において、不図示の被写体から光軸Ｘに沿ってレンズ鏡筒１００に入射した光は、レンズ鏡筒１００の光学系によって集光される。レンズ鏡筒１００の光学系によって集光された光は、撮像素子１０２において結像する。これにより、被写体からの光は撮像素子１０２によって撮像され、被写体画像として不図示のメモリに記録される。
【００５８】
尚、本発明は上述した実施の形態に限られるものではなく、本発明の趣旨を逸脱しない範囲で種々変形して実施することができる。
例えば、上述の実施形態では、固定筒（第２保持部材）を回転筒（第３保持部材）の内側に配置し、固定筒にリード溝（第１係合溝）を設け、回転筒に直進溝（第２係合溝）を設け、回転筒が固定筒に対して相対的に移動する範囲に亘って、回転筒に設けられた貫通孔が固定筒に設けられたリード溝の一部と常に重なる構成について説明したが、本発明はこのような構成に限定されない。
【００５９】
例えば、固定筒（第２保持部材）を回転筒（第３保持部材）の内側に配置し、固定筒に直進溝（第１係合溝）を設け、回転筒にリード溝（第２係合溝）及び貫通孔を設けてもよい。そして、回転筒が固定筒に対して相対的に移動する範囲に亘って、回転筒に設けられた貫通孔が固定筒に設けられた直進溝の一部と常に重なるようにしてもよい。この場合には、直進溝を延長して形成し、フォロアピンが係合する第１部分と、貫通孔の一部と重なる第２部分とを設けてもよい。
【００６０】
また、固定筒（第２保持部材）を回転筒（第３保持部材）の外側に配置し、固定筒にリード溝（第１係合溝）を設け、回転筒に直進溝（第２係合溝）及び貫通孔を設けてもよい。そして、回転筒が固定筒に対して相対的に移動する範囲に亘って、回転筒に設けられた貫通孔が固定筒に設けられたリード溝の一部と常に重なるようにしてもよい。
【００６１】
また、固定筒（第２保持部材）を回転筒（第３保持部材）の外側に配置し、固定筒に直進溝（第１係合溝）を設け、回転筒にリード溝（第２係合溝）及び貫通孔を設けてもよい。そして、回転筒が固定筒に対して相対的に移動する範囲に亘って、回転筒に設けられた貫通孔が固定筒に設けられた直進溝の一部と常に重なるようにしてもよい。
【００６２】
また、回転筒（第２保持部材）を固定筒（第３保持部材）の内側に配置し、回転筒にリード溝（第１係合溝）を設け、固定筒に直進溝（第２係合溝）及び貫通孔を設けてもよい。そして、回転筒が固定筒に対して相対的に移動する範囲に亘って、固定筒に設けられた貫通孔が回転筒に設けられたリード溝の一部と常に重なるようにしてもよい。
【００６３】
また、回転筒（第２保持部材）を固定筒（第３保持部材）の内側に配置し、回転筒に直進溝（第１係合溝）を設け、固定筒にリード溝（第２係合溝）及び貫通孔を設けてもよい。そして、回転筒が固定筒に対して相対的に移動する範囲に亘って、固定筒に設けられた貫通孔が回転筒に設けられた直進溝の一部と常に重なるようにしてもよい。
【００６４】
また、回転筒（第２保持部材）を固定筒（第３保持部材）の外側に配置し、回転筒にリード溝（第１係合溝）を設け、固定筒に直進溝（第２係合溝）及び貫通孔を設けてもよい。そして、回転筒が固定筒に対して相対的に移動する範囲に亘って、固定筒に設けられた貫通孔が回転筒に設けられたリード溝の一部と常に重なるようにしてもよい。
【００６５】
また、回転筒（第２保持部材）を固定筒（第３保持部材）の外側に配置し、回転筒に直進溝（第１係合溝）を設け、固定筒にリード溝（第２係合溝）及び貫通孔を設けてもよい。そして、回転筒が固定筒に対して相対的に移動する範囲に亘って、固定筒に設けられた貫通孔が回転筒に設けられた直進溝の一部と常に重なるようにしてもよい。
【符号の説明】
【００６６】
１  固定筒（第２保持部材）、１ａ  リード溝（第１係合溝）、２  回転筒（第３保持部材）、２ａ  直進溝（第２係合溝）、２ｂ  貫通孔、１０  フォロアピン（突起）、１００  レンズ鏡筒（光学機器）、１０２  撮像素子、ａ１  カム部（第１部分）、ａ２  延長部（第２部分）、Ｆ２  第２レンズ保持枠（第１保持部材）、Ｌ２  第２レンズ群（光学系）、Ｘ  光軸
【図１】
0005454024.tif 000002
【図２】
0005454024.tif 000003
【図３】
0005454024.tif 000004
【図４】
0005454024.tif 000005